(57)【要約】ユーザの意思で簡単に浮力調整や傾き角度調整を行うことができるようにするため、浮き本体（１）内にてセンターパイプ（２）まわりに円形室（６）が一体形成され、この円形室（６）が浮き本体（１）の下部表面で開口する。円形室（６）には水密用外形部品（７）が装着されるが、この外形部品（７）内に形成されるオモリ室には、ワッシャ状のオモリ群（９）及びオモリ蓋（１０）が積層する格好で組み付けられ、さらにオモリ蓋（１０）上にユーザが取り替え可能にガン玉（１２）が収納される。
2005074678.tif 000002
【特許請求の範囲】
【請求項１】
浮き本体をなす浮力体に埋め込まれて上記浮き本体の表面で開口する室と、上記開口を塞ぐように上記室に取り外し可能に装着されて水密を可能にする外形部品とを備えたオモリ室ユニットが設けられ、上記外形部品内に形成されたオモリ室に取り替え可能なオモリが収容されることを特徴とする釣り用浮き。
【請求項２】
上記外形部材が上記室に螺合するとともに、上記外形部材と上記室との間にシール部材が配設されることを特徴とする請求項１に記載の釣り用浮き。
【請求項３】
上記オモリ室ユニットが複数設けられたことを特徴とする請求項１に記載の釣り用浮き。
【請求項４】
上記外形部品を上記室に装着した状態で、上記外形部品の外表面が上記浮き本体の外形形状に整合することを特徴とする請求項１に記載の釣り用浮き。
【請求項５】
上記外形部品の外表面には凹凸が設けられることを特徴とする請求項４に記載の釣り用浮き。
【請求項６】
上記外形部品内に形成されたオモリ室に固定オモリが収容されるとともに、その上部にオモリ蓋が設けられ、上記オモリ蓋の上部に上記取り替え可能なオモリが載置されることを特徴とする請求項１に記載の釣り用浮き。
【請求項７】
上記固定オモリは複数種のオモリの組み合わせからなることを特徴とする請求項６に記載の釣り用浮き。
【請求項８】
上記室には上記開口方向に向かってパイプが一体形成されることを特徴とする請求項１に記載の釣り用浮き。
【請求項９】
上記パイプが上記浮き本体を貫通するように延設されて、上記浮き本体を貫通する中通し孔が構成されることを特徴とする請求項８に記載の釣り用浮き。
【請求項１０】
上記パイプに取り外し可能に装着される環付き部材を備えたことを特徴とする請求項８に記載の釣り用浮き。
【発明の詳細な説明】
【技術分野】  本発明は、魚釣りの仕掛けに用いられる釣り用浮きに関するものである。
【背景技術】  魚釣りの仕掛けにおいて釣り用浮きは特に重要な道具であり、ユーザは、釣り場において刻々と変化する状況に合わせて、予め用意しておいたものの中から最適なものを選択して使用する。
しかしながら、釣り用浮きには多種多様なものが存在し、その中から購入するのであるが、ユーザが所有しうる数にも限度がある。そのため、釣り場の状況により中通し浮きや環付き浮き、とばし浮きを使い分けるが、多くの浮きを持っていないため状況に合った浮きが選択できないことも多かった。
また、これまで個々の表示浮力の浮きはあるものの、その浮力を浮き本体で微調節できるものはなく、例えば仕掛けのハリス部にオモリを打って仕掛け全体で浮力調節する等の対応をしていたが、変化する海況では使いづらく、オモリの取り付け、取り外しも面倒であった。
本発明はかかる実情に鑑みてなされたものであり、ユーザの意思で簡単に浮力調整や傾き角度調整を行うことができ、さらには中通し浮きと環付き浮きとの切り替えを行うことのできる釣り用浮きを提供することを目的とする。
【発明の開示】
本発明の釣り用浮きは、浮き本体をなす浮力体に埋め込まれて上記浮き本体の表面で開口する室と、上記開口を塞ぐように上記室に取り外し可能に装着されて水密を可能にする外形部品とを備えたオモリ室ユニットが設けられ、上記外形部品内に形成されたオモリ室に取り替え可能なオモリが収容される点に特徴を有する。
また、本発明の釣り用浮きの他の特徴とするところは、上記外形部材が上記室に螺合するとともに、上記外形部材と上記室との間にシール部材が配設される点にある。
また、本発明の釣り用浮きの他の特徴とするところは、上記オモリ室ユニットが複数設けられた点にある。
また、本発明の釣り用浮きの他の特徴とするところは、上記外形部品を上記室に装着した状態で、上記外形部品の外表面が上記浮き本体の外形形状に整合する点にある。
また、本発明の釣り用浮きの他の特徴とするところは、上記外形部品の外表面には凹凸が設けられる点にある。
また、本発明の釣り用浮きの他の特徴とするところは、上記外形部品内に形成されたオモリ室に固定オモリが収容されるとともに、その上部にオモリ蓋が設けられ、上記オモリ蓋の上部に上記取り替え可能なオモリが載置される点にある。
また、本発明の釣り用浮きの他の特徴とするところは、上記固定オモリは複数種のオモリの組み合わせからなる点にある。
また、本発明の釣り用浮きの他の特徴とするところは、上記室には上記開口方向に向かってパイプが一体形成される点にある。
また、本発明の釣り用浮きの他の特徴とするところは、上記パイプが上記浮き本体を貫通するように延設されて、上記浮き本体を貫通する中通し孔が構成される点にある。
また、本発明の釣り用浮きの他の特徴とするところは、上記パイプに取り外し可能に装着される環付き部材を備えた点にある。
【図面の簡単な説明】  図１Ａは、第１の実施形態に係る釣り用浮きの概略構成を示す断面図である。
図１Ｂは、第１の実施形態に係る他の釣り用浮きの概略構成を示す断面図である。
図２Ａは、オモリ室ユニットの詳細を表わす断面図である。
図２Ｂは、オモリ室ユニットの底面図である。
図２Ｃは、図２ＢのＣ−Ｃ線断面図である。
図３は、第２の実施形態に係る釣り用浮きの概略構成を示す断面図である。
図４Ａは、オモリ室ユニットの詳細を表わす断面図である。
図４Ｂは、図４ＡのＢ方向から見た図である。
図５は、第２の実施形態に係る他の釣り用浮きの概略構成を示す断面図である。
図６は、第３の実施形態に係る釣り用浮きの概略構成を示す断面図である。
図７は、第４の実施形態に係る釣り用浮きの概略構成を示す断面図である。
【発明を実施するための最良の形態】  以下、図面を参照して、本発明の好適な実施形態について説明する。
（第１の実施形態）
図１Ａは第１の実施形態に係る釣り用浮きの概略構成を示す断面図である。また、図２Ａはオモリ室ユニットの詳細を表わす断面図、図２Ｂはオモリ室ユニットの底面図、図２Ｃは図２ＢのＣ−Ｃ線断面図である。
第１の実施形態は中通し浮きに係り、どんぐりタイプを一例として説明にすると、浮き本体１をなす浮力体内部にセンターパイプ２が装着され、浮き本体１を貫通する中通し孔２ａが構成される。図１Ａに示すものでは、図２にも示すように、センターパイプ２の下端に環付き部材３を取り外し可能に螺着できるようになっている。なお、図１Ｂに示すものは環付き部材３が螺着されないタイプであるが、それ以外の構成は図１Ａに示すものと同様である。
図２に示すように、センターパイプ２の外周面には側方に広がる円盤部４が一体形成され、円盤部４の縁から垂下する側壁部５が一体形成される。これにより、浮き本体１内部にてセンターパイプ２まわりに円形室６が構成され、この円形室６が浮き本体１の下部表面で開口する。円形室６をなす側壁部５の内面上部にはネジ部５ａが形成される。
円形室６には水密用外形部品７が装着される。外形部品７は円形室６の内径と略同径とされる挿入部７ａを有し、円形室６への装着状態において外表面７ｂが浮き本体１の形状に整合する。また、外形部品７には、挿入部７ａ側の端面に大きく開口する穴７ｃと、センターパイプ２を挿通させる穴７ｄとが形成される。
挿入部７ａの外周面上部には円形室６のネジ部５ａに噛み合うネジ部７ｅが形成される。また、挿入部７ａの外周面にはシール部材としてのＯリングを嵌め込むための周溝７ｆが形成される。
一方、外表面７ｂは上述したように浮き本体１の形状に整合するように形成されるが、指を掛けやすくするために、本発明でいう凹凸として、図示例では均等に配置された３本のリブ状のつまみ部７ｇが形成される。
さらに、外形部品７の内側にはセンターパイプ２の外径と略同径とされた内径部を有する筒部材８が同軸上に配置され、その下端が穴７ｄに螺合し、組み付け状態において水密性確保のためのＯリングの移動を制限する周溝を形成する。
以上述べた構成により、外形部品７内には、穴７ｃと、筒部材８の外周面とからなるオモリ室が形成される。オモリ室には本発明でいう固定オモリに相当するワッシャ状のオモリ群９と、同じくワッシャ状のオモリ蓋１０とが積層する格好で組み付けられる。
オモリ群９は複数種のワッシャ状オモリの組み合わせからなり、メーカ側において目標浮力が得られるようにその数量や重量等が適宜選ばれて組み付けられる。例えば浮き本体１の外表面全体に塗装が施されたり、適所に接着材が使用されたりして、それによって釣り用浮き全体の重量が微妙に変わってしまうが、本実施形態では、そういった塗装や接着剤の塗布が終わった後に、オモリ群９を適宜組み合わせることができるので、浮力調整を正確に行なうことができ、高品質の浮きを提供することができる。なお、オモリ群９の材質としては鉄や真鍮、鉛等の金属、樹脂等が用いられる。
また、オモリ蓋１０はオモリ群９を見えなくし、かつ、封入するとともに、ユーザ用オモリ室１１の床面を構成するものであり、その材質としては樹脂が用いられる。
ユーザ用オモリ室１１は、穴７ｃの内周面と筒部材８の外周面とを側壁とし、オモリ蓋１０を床面とした室であり、本発明でいう取り替え可能なオモリに相当するガン玉１２が収納される。ガン玉とは釣り用の鉛製の球状オモリであり、各種重量やサイズのものが市販されている。
本実施形態の釣り用浮きにおいては、つまみ部７ｇをつまみながら外形部品７を回転させることにより、外形部品７を円形室６から取り外すことができる。そして、ユーザ用オモリ室１１のガン玉１２の種類（重量やサイズ）を変更することにより、ユーザの意思で所望の浮力を得るための浮力調整が可能となる。特に浮力調整に際して、通常釣り人が多種保有しているガン玉を利用することにより、それらを適宜組み合わせて、微妙な浮力調整を簡単に行なうことができる。もちろん、ガン玉以外でも、ワッシャ、ヒューズ、糸鉛、小型サルカン、石、砂、水等、重さを持ってオモリ室ユニットに入れることができるものであれば、何でも使用することが可能である。
さらに、環付き部材３を取り外し可能に螺着できるようにすれば、環付き部材３を取り外せば、中通し穴２ａにミチ糸を通す中通し浮きとしても使用することができ、また、環付き部材３を装着すれば、環付き浮きとしても使用することができる。
（第２の実施形態）
図３は第２の実施形態に係る釣り用浮きの概略構成を示す断面図である。また、図４Ａはオモリ室ユニットの詳細を表わす断面図、図４Ｂは図４ＡのＢ方向から見た図である。
第２の実施形態は所謂ななめ浮きに係り、どんぐりタイプを一例として説明にすると、浮き本体２１をなす浮力体内部にセンターパイプ２２が装着され、浮き本体１を貫通する中通し孔２２ａが構成される。
浮き本体２１の側部には円盤部及び円盤部の縁から垂下する側壁部からなる円形室部材２３が埋め込まれ、この円形室部材２３が浮き本体２１の側部表面で開口する。円形室部材２３の内面上部にはネジ部２３ａが形成される。
円形室部材２３には水密用外形部品２４が装着される。外形部品２４は円形室部材２３の内径と略同径とされる挿入部２４ａを有し、円形室部材２３への装着状態において外表面２４ｂが浮き本体２１の形状に整合する。また、外形部品２４には、挿入部２４ａ側の端面に大きく開口する穴２４ｃが形成される。
挿入部２４ａの外周面上部には円形室部材２３のネジ部２３ａに噛み合うネジ部２４ｄが形成される。また、挿入部２４ａの外周面にはＯリングを嵌め込むための周溝２４ｅが形成される。
一方、外表面２４ｂは上述したように浮き本体２１の形状に整合するように形成されるが、コイン等の硬質部材を差し込むことができるように、本発明でいう凹凸として、図示例では幅１．９ｍｍ程度の弧状の溝２４ｆが形成される。
以上述べた構成により、外形部品２４内には、穴２４ｃからなるオモリ室が形成される。オモリ室には本発明でいう固定オモリに相当するワッシャ状のオモリ群２５と、同じくワッシャ状のオモリ蓋２６とが積層する格好で組み付けられる。これらオモリ群２５及びオモリ蓋２６については、上記第１の実施形態で説明したオモリ群９及びオモリ蓋１０と同様であり、その詳細な説明は省略する。
そして、上記第１の実施形態と同様に、オモリ蓋１０上部空間はユーザ用オモリ室２７としてユーザに提供され、本発明でいう取り替え可能なオモリに相当するガン玉２８が収納される。
本実施形態の釣り用浮きにおいては、コイン等を溝２４ｆに差し込んで外形部品２４を回転させることにより、外形部品２４を円形室部材２３から取り外すことができる。そして、ユーザ用オモリ室２７のガン玉２８の種類（重量やサイズ）を変更することにより、ユーザの意思で、ななめ浮きが水面に浮かんだときの傾き角度を所望角度に調整することが可能となる。
この第２の実施形態のオモリ室ユニットは、端的にいえば、上述した第１の実施形態のオモリ室ユニットから、一体形成されたセンターパイプ２を除く構成とされたものである。この場合に、図５に示すように、円形室部材２３内だけにパイプ２９を残すような形態とし、そのパイプ２９の下端に環付き部材３を取り外し可能に螺着できるようにしてもよく、その場合は中通し浮きとしても、環付き浮きとしても使用することができる。
（第３の実施形態）
図６に示す第３の実施形態の釣り用浮きは、上記第１の実施形態で説明した中通し浮きの浮き本体１の側部に、上記第２の実施形態で説明したオモリ室ユニットを更に追加した例である。各構成要素の詳細な説明は省略するが、第３の実施形態の釣り用浮きによれば、ユーザの意思で所望の浮力を得るための浮力調整が可能であると共に、水面に浮かんだときの傾き角度を所望角度に調整することが可能となる。
なお、本発明の好適な実施形態を説明したが、本発明は上述した実施形態にのみ限定されるものではなく、必要に応じて適宜変更等が可能である。例えば、浮き本体の形状はどんぐりタイプに限られるものではなく、それ以外の形状でもオモリ室ユニットの埋め込みが可能な形態であれば、あらゆる形状に対応することができる。例えば、図７に示す例は、棒浮きをなす浮き本体３０の下部に上記第１の実施形態で説明したオモリ室ユニット（環付き部材３を有するもの）を設けたものであり、これにより可変浮力棒浮きを実現することができる。
【産業上の利用可能性】  本発明によれば、浮き本体の下部や側部にオモリ室ユニットを設けることにより、水密可能な外形部品を釣り場で取り外して、ユーザの意図に応じてガン玉等の取り替え可能なオモリを調整することにより、浮力や水面に浮かんだときの傾き角度を所望角度に調整することができる。
2005074678.tif 000003
2005074678.tif 000004
【図３】
2005074678.tif 000005
2005074678.tif 000006
【図５】
2005074678.tif 000007
【図６】
2005074678.tif 000008
【図７】
2005074678.tif 000009
【国際調査報告】
2005074678.tif 000010
2005074678.tif 000011
2005074678.tif 000012
2005074678.tif 000013